(57)【要約】【課題】画像の付帯情報に異常があった場合にも、それを検出して付帯情報を代書し、確実に画像データの登録を行うようにする。【解決手段】画像取り込み処理部１は、Ｘ線CT装置やMRI装置などの医用画像撮影装置により、撮影され再構成された医用画像データ、医用画像保管装置で保管されている医用画像データ、および、記録メディアに記録されている医用画像データを取り込み、医用画像データベース２に出力する。医用画像データベース２は、画像取り込み処理部１から供給された画像データおよび付帯情報の登録時、付帯情報の異常の有無を確認する。医用画像データベース２は、付帯情報に異常があった場合には、異常な付帯情報を他の格納領域に退避させ、元の付帯情報の内容を代書した後、画像データおよび代書された付帯情報の登録を行う。【選択図】図１
2011186511.tif 000002
【特許請求の範囲】
【請求項１】
医用画像データおよび付帯情報を取り込む画像取り込み手段と、
前記画像取り込み手段により取り込まれた前記付帯情報に異常がある場合、前記付帯情報を退避し、代書する情報入れ替え手段と、
前記情報入れ替え手段により代書された前記付帯情報、および前記医用画像データを登録する画像登録手段と
を備えることを特徴とする医用画像処理装置。
【請求項２】
前記画像登録手段により登録された前記付帯情報が代書されているか否かを判断し、前記付帯情報が代書されていると判断した場合、前記付帯情報の表示を制御する代書判断手段をさらに備える
ことを特徴とする請求項１に記載の医用画像処理装置。
【請求項３】
前記画像登録手段により登録された前記医用画像データ、および、代書されている前記付帯情報を他の装置に出力する場合、代書されている前記付帯情報を元の付帯情報に復元する情報復元手段をさらに備える
ことを特徴とする請求項１または請求項２に記載の医用画像処理装置。
【請求項４】
医用画像データおよび付帯情報を取り込む画像取り込みステップと、
前記画像取り込みステップの処理により取り込まれた前記付帯情報に異常がある場合、前記付帯情報を退避し、代書する情報入れ替えステップと、
前記情報入れ替えステップの処理により代書された前記付帯情報、および前記医用画像データを登録する画像登録ステップと
を医用画像処理装置が備えるコンピュータに実行させることを特徴とする制御プログラム。
【発明の詳細な説明】
【技術分野】
【０００１】
本発明は、医用画像処理装置、およびその制御プログラムに関し、特に、画像の付帯情報に異常があった場合にも、それを検出して付帯情報を代書し、確実に画像データの登録を行うことができるようにした医用画像処理装置、およびその制御プログラムに関する。
【背景技術】
【０００２】
通常、医用画像処理装置は、医用画像診断装置（モダリティ）で再構成された画像データ、他の医用画像保管装置で保管されている画像データ、または記録メディアに記録されている画像データを取得し、それらをデータベースに登録する場合、画像データを画像に関する付帯情報（例えば、撮影日時や患者情報）とともに登録する。
【０００３】
また、医用画像処理装置は、データベースに登録した画像データおよび付帯情報に基づいて、データベース内の画像一覧リストを作成し、そのリストもデータベースで管理する。
【０００４】
そして、医用画像処理装置は、ユーザから、リスト表示処理、画像一覧リスト上で選択された画像の表示処理、印刷処理、記録メディアへの保存処理、または通信部を介して他の装置への送信処理が指示されると、データベースから、画像一覧リスト、または、画像データおよび付帯情報を読み出し、各処理を行う。
【０００５】
さらに、医用画像処理装置は、データベースに登録した画像データおよび付帯情報を用いて、画像診断レポートの作成を行う。例えば、特許文献１には、文字列に医用画像を関連付けてレポートを作成、保存する画像診断レポート作成支援システムが提案されている。
【先行技術文献】
【特許文献】
【０００６】
【特許文献１】特開２００５−３０１４５３号公報
【発明の概要】
【発明が解決しようとする課題】
【０００７】
医用画像処理装置が、各装置や記録メディアから取得した画像データおよび付帯情報をデータベースに登録する際、その付帯情報に禁止文字が使われていたり、あるいは、最大サイズを超えていたりといった異常があった場合には、画像データの登録を行うことができない課題があった。
【０００８】
また、通常、医用に係る画像データの構造は、DICOM（Digital Imaging and COmmunications in Medicine）規格に従うものとされているが、その規格に従わない画像データをデータベースに登録しようとした場合、付帯情報に異常があると判断し、やはり画像データの登録を行うことができない課題があった。
【０００９】
さらに、付帯情報の異常が原因で、データベースに画像データを登録することができない場合、画像データの保存場所を決定することができず、画像データが消失してしまう恐れもあった。
【００１０】
本発明はこのような状況に鑑みてなされたものであり、その目的は、画像の付帯情報に異常があった場合にも、それを検出して付帯情報を代書し、確実に画像データの登録を行うことができるようにした医用画像処理装置、およびその制御プログラムを提供することである。
【課題を解決するための手段】
【００１１】
請求項１記載の発明の特徴は、医用画像データおよび付帯情報を取り込む画像取り込み手段と、画像取り込み手段により取り込まれた付帯情報に異常がある場合、付帯情報を退避し、代書する情報入れ替え手段と、情報入れ替え手段により代書された付帯情報、および医用画像データを登録する画像登録手段とを備えることである。
【００１２】
請求項６記載の発明の特徴は、医用画像データおよび付帯情報を取り込む画像取り込みステップと、画像取り込みステップの処理により取り込まれた付帯情報に異常がある場合、付帯情報を退避し、代書する情報入れ替えステップと、情報入れ替えステップの処理により代書された付帯情報、および医用画像データを登録する画像登録ステップとを医用画像処理装置が備えるコンピュータに実行させることである。
【発明の効果】
【００１３】
本発明によれば、画像の付帯情報に異常があった場合にも、それを検出して付帯情報を代書し、確実に画像データの登録を行うことが可能となる。
【図面の簡単な説明】
【００１４】
【図１】本発明に係る医用画像処理装置の構成例を示す図である。
【図２】医用画像データベースの機能構成例を示すブロック図である。
【図３】付帯情報の代書処理の例を説明する図である。
【図４】代書表現処理の例を説明する図である。
【図５】付帯情報の代書処理および代書表現処理の例を説明する図である。
【図６】情報のチェック処理を説明するフローチャートである。
【図７】付帯情報の退避と代書処理を説明するための図である。
【図８】リスト情報の退避と代書処理を説明するための図である。
【図９】表示制御処理を説明するフローチャートである。
【図１０】代書表現を用いた画像の表示例である。
【図１１】代書表現を用いた画像の他の表示例である。
【図１２】代書表現を用いたデータベース内画像一覧リストの表示例である。
【図１３】代書表現を用いたデータベース内画像一覧リストの他の表示例である。
【図１４】出力制御処理を説明するフローチャートである。
【図１５】代書されている旨が示されたポップアップウィンドウの表示例である。
【図１６】代書情報を確認するためのポップアップウィンドウの表示例である。
【発明を実施するための形態】
【００１５】
以下、本発明の実施の形態について図面を参照して詳細に説明する。
【００１６】
図１は、本発明に係る医用画像処理装置の構成例を示す図である。
【００１７】
医用画像処理装置は、例えば、PACS（Picture Archiving Communication System）であって、CPU（Central Processing Unit）、ROM（Read Only Memory）、RAM（Random Access Memory）、およびHDD（Hard Disc Drive）などを実装しており、他の装置や記録メディアから取得した医用画像データを、DICOM規格に従って管理するデータベースシステムである。
【００１８】
医用画像処理装置は、画像取り込み処理部１、医用画像データベース２、画像選択処理部３、画像表示処理部４、印刷処理部５、メディアアーカイブ処理部６、画像送信処理部７、代書判断部８、情報復元部９、および出力部１０から構成されている。
【００１９】
画像取り込み処理部１は、Ｘ線CT（Computed Tomography）装置やMRI（Magnetic Resonance Imaging）装置などの医用画像撮影装置（いわゆる医用モダリティ）により、撮影され再構成された医用画像データ、医用画像保管装置で保管されている医用画像データ、および、記録メディアに記録されている医用画像データを取り込む。画像取り込み処理部１は、取り込んだ医用画像データ、および、医用画像に関する付帯情報を医用画像データベース２に出力する。以下、医用画像データを単に画像データと称する。
【００２０】
医用画像データベース２は、画像取り込み処理部１から供給された画像データおよび付帯情報を登録する。登録時、医用画像データベース２は、付帯情報の異常の有無を確認し、異常があった場合には、異常な付帯情報の退避および代書を行った後で、画像データおよび代書された付帯情報の登録を行う。
【００２１】
また医用画像データベース２は、登録された画像データおよび付帯情報に基づいて、データベース内画像一覧リストを作成し、それを管理する。
【００２２】
画像選択処理部３は、ユーザによってデータベース内画像一覧リストの表示が指示された場合、医用画像データベース２で管理されているデータベース内画像一覧リストを読み出し、それを代書判断部８に出力する。
【００２３】
画像表示処理部４は、ユーザによってデータベース内画像一覧リストの中から所定の画像の表示が指示された場合、医用画像データベース２で管理されている画像データおよび付帯情報の中から、ユーザによって指示された画像データおよび付帯情報を読み出し、それらを代書判断部８に出力する。
【００２４】
印刷処理部５は、ユーザによってデータベース内画像一覧リストの中から所定の画像の印刷が指示された場合、医用画像データベース２で管理されている画像データおよび付帯情報の中から、ユーザによって指示された画像データおよび付帯情報を読み出し、それらを代書判断部８に出力する。
【００２５】
メディアアーカイブ処理部６は、ユーザによってデータベース内画像一覧リストの中から所定の画像の保存が指示された場合、医用画像データベース２で管理されている画像データおよび付帯情報の中から、ユーザによって指示された画像データおよび付帯情報を読み出し、それらを代書判断部８に出力する。
【００２６】
画像送信処理部７は、ユーザによってデータベース内画像一覧リストの中から所定の画像の送信が指示された場合、医用画像データベース２で管理されている画像データおよび付帯情報の中から、ユーザによって指示された画像データおよび付帯情報を読み出し、それらを代書判断部８に出力する。
【００２７】
代書判断部８は、画像選択処理部３から出力されたデータベース内画像一覧リストに代書情報が含まれているか否かを判断し、代書情報が含まれていると判断した場合、データベース内画像一覧リストの代書表現表示を行う。
【００２８】
代書判断部８は、画像表示処理部４から出力された画像データおよび付帯情報に代書情報が含まれているか否かを判断し、代書情報が含まれていると判断した場合、画像データおよび付帯情報の代書表現表示を行う。
【００２９】
代書判断部８は、印刷処理部５、メディアアーカイブ処理部６、または画像送信処理部７から出力された画像データおよび付帯情報に代書情報が含まれているか否かを判断し、代書情報が含まれていると判断した場合、代書情報のまま出力するか、代書情報をオリジナル情報に戻すかのいずれかをユーザに選択させる。代書判断部８は、代書情報をオリジナル情報に戻すことが指示された場合には、情報復元部９にて、代書情報を含む付帯情報をオリジナル情報に復元させた後、出力部１０に出力する。
【００３０】
情報復元部９は、代書判断部８から出力された、代書情報を含む付帯情報をオリジナルの（元の）付帯情報に復元し、復元したオリジナルの付帯情報を代書判断部８に戻す。
【００３１】
出力部１０は、液晶ディスプレイ、プリンタ、メディアドライブ、またはモデムなどからなり、代書判断部８から出力された画像データおよび付帯情報の表示、印刷、保存、または送信を行う。
【００３２】
図２は、医用画像データベース２の機能構成例を示すブロック図である。
【００３３】
医用画像データベース２は、情報入れ替え処理部２ａ、画像登録処理部２ｂ、画像群記憶部２ｃ、リスト登録処理部２ｄ、およびリスト記憶部２ｅの機能を少なくとも含む。
【００３４】
情報入れ替え処理部２ａは、画像取り込み処理部１から供給された画像データおよび付帯情報の登録時、付帯情報の異常の有無を確認し、異常があった場合には、異常な付帯情報の退避を行うとともに、異常な付帯情報の代書を行う。情報入れ替え処理部２ａは、画像データおよび代書された付帯情報を画像登録処理部２ｂに出力する。
【００３５】
情報入れ替え処理部２ａは、画像取り込み処理部１から供給された画像データおよび付帯情報に基づいて、データベース内画像一覧リストを作成し、それをリスト登録処理部２ｄに出力する。
【００３６】
また情報入れ替え処理部２ａは、作成したデータベース内画像一覧リストのリスト情報に異常があると判断した場合には、異常なリスト情報の退避を行うとともに、異常なリスト情報の代書を行う。情報入れ替え処理部２ａは、代書されたリスト情報を含むデータベース内画像一覧リストをリスト登録処理部２ｄに出力する。
【００３７】
画像登録処理部２ｂは、情報入れ替え処理部２ａから供給された画像データおよび付帯情報を、画像群記憶部２ｃに登録する（記憶させる）。
【００３８】
リスト登録処理部２ｄは、情報入れ替え処理部２ａから供給されたデータベース内画像一覧リストを、リスト記憶部２ｅに登録する（記憶させる）。
【００３９】
図３は、医用画像データベース２の情報入れ替え処理部２ａで行う付帯情報の代書処理の例を説明する図である。
【００４０】
図３の例では、異常な情報の判断基準として、「サイズの異常」、「禁止文字」、および「システム言語との不一致」がある。そして、付帯情報の異常が認められた場合には、「最大サイズ変換」、「禁止文字を代書文字に変換」、または「英語表現に変換」の代書処理が行われる。
【００４１】
例えば、最大４バイトであるべき付帯情報が、「１２３４５６７８」の８バイトからなる付帯情報であった場合には、情報入れ替え処理部２ａは、その付帯情報がサイズの異常であると判断することができ、最大サイズを指定サイズに変換し、「１２３４」の４バイトからなる付帯情報に代書する。
【００４２】
また例えば、０乃至９の数字であるべき付帯情報が、数字以外の「ＡＢＣＤＥＦＧＨ」の文字列からなる付帯情報であった場合には、情報入れ替え処理部２ａは、その付帯情報に禁止文字が使用されていると判断することができ、禁止文字を代書文字に変換し、「？？？？？？？？」の付帯情報に代書する。
【００４３】
また例えば、英語であるべき付帯情報が、英語以外の「山田太郎」の文字列からなる付帯情報であった場合には、情報入れ替え処理部２ａは、その付帯情報がシステム言語と不一致であると判断することができ、禁止言語を英語表現に変換し、「ＹＡＭＡＤＡ  ＴＡＲＯ」の付帯情報に代書する。なお、禁止言語（例えば日本語）から英語への変換には、汎用の言語変換ソフトが用いられる。
【００４４】
図４は、代書判断部８で行う代書表現処理の例を説明する図である。
【００４５】
図４の例では、代書表現処理の例として、「色」（赤、青、黄など）、「特殊表現」（強調文字、袋文字、影文字、アンダーラインなど）、および「マーク」（（代）、○、△、□など）がある。
【００４６】
例えば、サイズの異常である「１２３４５６７８」の文字列が付帯情報に使用され、医用画像データベース２において指定サイズである「１２３４」に代書処理された付帯情報を表示する場合、代書判断部８は、赤色で「１２３４」、強調文字で「１２３４」、またはマークで「（代）１２３４」の代書表現処理を行う。
【００４７】
図５は、付帯情報の代書処理および代書表現処理の例を説明する図である。
【００４８】
図５の例では、禁止文字が付帯情報に使用されていた場合の代書文字として、「？」、「（スペース）」、または「ｘ」がある。
【００４９】
例えば、０乃至９の数字であるべき付帯情報が、数字以外の「ＡＢＣＤＥＦＧＨ」の文字列からなる付帯情報であった場合には、医用画像データベース２の情報入れ替え処理部２ａは、「？？？？？？？？」、「（スペース）」、または「ｘｘｘｘｘｘｘｘ」の付帯情報に代書する。画像登録処理部２ｂは、画像データおよび代書された付帯情報を画像群記憶部２ｃに登録する。
【００５０】
代書判断部８は、画像群記憶部２ｃに登録されている画像データ、および代書された付帯情報を、「（代）？？？？？？？？」、「（代）（スペース）」、または「（代）ｘｘｘｘｘｘｘｘ」のマークで代書表現処理を行う。
【００５１】
次に、図６のフローチャートを参照して、医用画像データベース２が実行する情報のチェック処理について説明する。
【００５２】
ステップＳ１において、情報入れ替え処理部２ａは、画像取り込み処理部１から画像データおよび付帯情報が供給されたとき、その付帯情報に異常があるか否かを判定し、付帯情報に異常があると判定した場合、ステップＳ２に進む。
【００５３】
ステップＳ２において、情報入れ替え処理部２ａは、異常があると判定した付帯情報を退避し、ステップＳ３において、元の付帯情報の内容を代書する。
【００５４】
ここで、図７を参照して、ステップＳ２およびステップＳ３の処理の詳細について説明する。
【００５５】
図７は、画像データの構造例を示す図である。
【００５６】
図７に示す画像データは、付帯情報１乃至付帯情報Ｎの複数の付帯情報、およびピクセルデータ（画像生データ）で構成されている。例えば、複数の付帯情報のうちの付帯情報２が異常であると判定された場合、付帯情報Ｎの後（ピクセルデータの直前）に、その付帯情報２の内容を退避オリジナル情報２として退避させる。次に、元の付帯情報２の内容を代書し、付帯情報２とする。さらに、元の付帯情報２と退避オリジナル情報２をタグで関連付ける。これにより、元の付帯情報２を参照することで、そこに関連付けられたタグから退避オリジナル情報２を参照することができる。
【００５７】
情報入れ替え処理部２ａは、以上のようにして、異常があると判定した付帯情報を他の格納領域に退避させ、異常がある元の付帯情報の内容を代書した後、画像データおよび代書された付帯情報を画像登録処理部２ｂに出力する。
【００５８】
図６の説明に戻る。ステップＳ４において、画像登録処理部２ｂは、情報入れ替え処理部２ａから出力された、画像データおよび代書された付帯情報を画像群記憶部２ｃに登録する。
【００５９】
ステップＳ５において、情報入れ替え処理部２ａは、画像データおよび代書された付帯情報に基づいて、データベース内画像一覧リストを作成する。
【００６０】
ステップＳ６において、情報入れ替え処理部２ａは、異常がある付帯情報に基づいて作成したリスト情報は、同様に異常があると判断して、そのリスト情報を退避し、ステップＳ７において、元のリスト情報の内容を代書する。
【００６１】
ここで、図８を参照して、ステップＳ６およびステップＳ７の処理の詳細について説明する。
【００６２】
図８は、データベース内画像一覧リストの構造例を示す図である。
【００６３】
図８に示すデータベース内画像一覧リストは、リスト情報１乃至リスト情報Ｎの複数のリスト情報で構成されている。例えば、複数のリスト情報のうちのリスト情報２が、異常がある付帯情報を含んでいると判断された場合、リスト情報Ｎの後に、そのリスト情報２の内容を退避オリジナルリスト情報２として退避させる。次に、元のリスト情報２の内容を代書し、リスト情報２とする。さらに、元のリスト情報２と退避オリジナルリスト情報２をタグで関連付ける。これにより、元のリスト情報２を参照することで、そこに関連付けられたタグから退避オリジナルリスト情報２を参照することができる。
【００６４】
情報入れ替え処理部２ａは、以上のようにして、異常があると判断したリスト情報を他の格納領域に退避させ、異常がある元のリスト情報の内容を代書した後、代書されたリスト情報を含むデータベース内画像一覧リストをリスト登録処理部２ｄに出力する。
【００６５】
図６の説明に戻る。ステップＳ８において、リスト登録処理部２ｄは、情報入れ替え処理部２ａから出力された、代書されたリスト情報を含むデータベース内画像一覧リストをリスト記憶部２ｅに登録する。
【００６６】
一方、ステップＳ１において、情報入れ替え処理部２ａは、画像取り込み処理部１から画像データおよび付帯情報が供給されたとき、その付帯情報に異常がないと判定した場合、画像データおよび付帯情報を画像登録処理部２ｂに出力する。次に、情報入れ替え処理部２ａは、供給された画像データおよび付帯情報に基づいてデータベース内画像一覧リストを作成し、それをリスト登録処理部２ｄに出力した後、ステップＳ９に進む。
【００６７】
ステップＳ９において、画像登録処理部２ｂは、情報入れ替え処理部２ａから出力された画像データおよび付帯情報を、画像群記憶部２ｃに登録する。ステップＳ１０において、リスト登録処理部２ｄは、情報入れ替え処理部２ａから出力されたデータベース内画像一覧リストを、リスト記憶部２ｅに登録する。
【００６８】
以上のように、付帯情報に異常がある場合には、その付帯情報の退避および付帯情報の代書を行うことにより、確実にデータベース内に画像データの登録を行うことができる。つまり、付帯情報の異常が原因で、データベースに画像データの登録を行うことができないといった事態を防止することができる。さらに、データベースに画像データの登録を行うことができずに画像データが消失してしまうといった最悪の事態をも防止することが可能となる。
【００６９】
次に、図９のフローチャートを参照して、代書判断部８が実行する、表示制御処理について説明する。この処理は、ユーザによって、データベース内画像一覧リスト内における所定の画像の表示が指示された場合に開始される。
【００７０】
ステップＳ１１において、代書判断部８は、ユーザによって指示された画像データおよび付帯情報を、画像群記憶部２ｃから読み出す。
【００７１】
ステップＳ１２において、代書判断部８は、ステップＳ１１の処理で読み出した付帯情報が代書されているか否かを判定する。
【００７２】
詳細には、例えば、図７に示したように、付帯情報１乃至付帯情報Ｎを１つずつ確認していくと、付帯情報２にはタグが関連付けられていることがわかる。そして、このタグによって退避オリジナル情報２を参照することができ、付帯情報２が代書されていると判断することができる。
【００７３】
ステップＳ１２において、代書判断部８は、ステップＳ１１の処理で読み出した付帯情報が代書されていると判定した場合、ステップＳ１３に進む。ステップＳ１３において、代書判断部８は、読み出した画像データおよび付帯情報を出力部１０に出力し、代書表現を用いて表示させる。
【００７４】
ここで、図１０および図１１を参照して、代書表現を用いた画像の表示例について説明する。なお、代書する前のオリジナルの付帯情報の患者名は、「山田  太郎」であり、撮影日時は、「ABCD.EF.GH  11:50:31」であり、医用画像データベース２の情報入れ替え処理部２ａによって、これらの付帯情報が、「YAMADA TARO」および「????????  11:50:31」に代書され、画像群記憶部２ｃに登録されている。
【００７５】
図１０は、代書表現にマークを用いた場合の画像の表示例を示している。
【００７６】
図１０に示す画面Ｗのほぼ中央には、画像Ｐが表示されており、画面Ｗの右上には、付帯情報である「（代）YAMADA TARO」および「（代）????????  11:50:31」が表示されている。すなわち、画像群記憶部２ｃから読み出された付帯情報は、「（代）」のマークを付した代書表現で表示されていることがわかる。
【００７７】
図１１は、代書表現に強調文字を用いた場合の画像の表示例を示している。
【００７８】
図１１に示す画面Ｗのほぼ中央には、画像Ｐが表示されており、画面Ｗの右上には、付帯情報である「YAMADA TARO」および「????.??.??  11:50:31」が強調表示されている。すなわち、画像群記憶部２ｃから読み出された付帯情報は、強調文字を用いた代書表現で表示されていることがわかる。
【００７９】
このように、代書表現には、マークを付したり、強調文字を用いたりすることができる。また本実施の形態では、この他にも、例えば、代書された付帯情報に色を付したり、文字加工したり、あるいは、（代）以外のマークなどを付したりするようにしてもよい。
【００８０】
図９の説明に戻る。ステップＳ１２において、代書判断部８は、ステップＳ１１の処理で読み出した付帯情報が代書されていないと判定した場合、すなわち、付帯情報にタグが関連付けられていない場合、ステップＳ１４に進む。
【００８１】
ステップＳ１４において、代書判断部８は、読み出した画像データおよび付帯情報を出力部１０に出力し、通常表示させる。
【００８２】
以上のように、付帯情報が代書されていると判断した場合には、その付帯情報を、さまざまな代書表現を用いて表示することができる。これにより、ユーザは、付帯情報が代書されているか否かを容易に把握することが可能となる。
【００８３】
また以上においては、代書された付帯情報の代書表現処理の例について説明したが、代書されたリスト情報を含むデータベース内画像一覧リストの代書表現処理についても同様に行うことができる。
【００８４】
ここで、図１２および図１３を参照して、代書表現を用いたデータベース内画像一覧リストの表示例について説明する。なお、代書する前のオリジナルの付帯情報の日付は、「ABCD.EF.GH  11:50:31」であり、患者名は、「山田  太郎」であり、医用画像データベース２の情報入れ替え処理部２ａによって、これらの付帯情報が、「YAMADA TARO」および「????????  11:50:31」に代書され、さらに代書された付帯情報を用いてデータベース内画像一覧リストが作成され、リスト記憶部２ｅに登録されている。
【００８５】
図１２は、代書表現にマークを用いた場合のデータベース内画像一覧リストの表示例を示している。
【００８６】
図１２に示す画面Ｗのほぼ中央には、データベース内画像一覧リストＬが表示されており、そのリスト内において、付帯情報である「（代）????????  11:50:31」および「（代）YAMADA TARO」が表示されている。すなわち、リスト記憶部２ｅから読み出されたデータベース内画像一覧リストは、「（代）」のマークを付した代書表現で表示されていることがわかる。
【００８７】
図１３は、代書表現に強調文字を用いた場合のデータベース内画像一覧リストＬの表示例を示している。
【００８８】
図１３に示す画面Ｗのほぼ中央には、データベース内画像一覧リストＬが表示されており、そのリスト内において、付帯情報である「????.??.??  11:50:31」および「YAMADA TARO」が強調表示されている。すなわち、リスト記憶部２ｅから読み出されたデータベース内画像一覧リストは、強調文字を用いた代書表現で表示されていることがわかる。
【００８９】
以上のように、データベース内画像一覧リストに含まれるリスト情報が代書されている場合には、そのリスト情報を、さまざまな代書表現を用いて表示することができる。これにより、ユーザは、リスト情報が代書されているか否かを容易に把握することが可能となる。
【００９０】
次に、図１４のフローチャートを参照して、代書判断部８が実行する、出力制御処理について説明する。この処理は、ユーザによって、データベース内画像一覧リスト内における所定の画像の印刷、記録メディアへの保存、または他の装置への送信が指示された場合に開始される。
【００９１】
ステップＳ２１において、代書判断部８は、ユーザによって指示された画像データおよび付帯情報を、画像群記憶部２ｃから読み出す。
【００９２】
ステップＳ２２において、代書判断部８は、ステップＳ２１の処理で読み出した付帯情報が代書されているか否かを判定し、付帯情報が代書されていると判定した場合、ステップＳ２３に進む。
【００９３】
ステップＳ２３において、代書判断部８は、代書されている旨を表わす情報を出力部１０に出力し、メッセージとして画面表示させる。
【００９４】
これにより、例えば、図１５に示すように、画面Ｗ上に、ポップアップウィンドウＷａが表示される。このポップアップウィンドウＷａには、付帯情報が代書されている旨が示されているとともに、「代書情報で出力」のボタンＢ１、「オリジナル情報で出力」のボタンＢ２、「代書情報確認」のボタンＢ３、および「キャンセル」のボタン４が表示されている。
【００９５】
ユーザは、ポップアップウィンドウＷａの表示によって、選択した画像の付帯情報が代書されていることを知ることができ、画像の印刷、記録メディアへの保存、または他の装置への送信の指示を行う前に、代書情報のまま出力するのか、オリジナルの付帯情報で出力するのかを選択することができる。
【００９６】
ステップＳ２４において、代書判断部８は、付帯情報を代書で出力するか否か、すなわち、ユーザによって、図１５に示す画面ＷのポップアップウィンドウＷａ内の「代書情報で出力」のボタンＢ１が選択されたか否かを判定し、付帯情報を代書情報で出力すると判定した場合、ステップＳ２５に進む。
【００９７】
なお、ユーザは、「代書情報で出力」のボタンＢ１を選択する前に、代書情報を確認する場合には、「代書情報確認」のボタンＢ３を選択することで、例えば、図１６に示すような、確認用のポップアップウィンドウＷｂを表示させることができる。
【００９８】
ステップＳ２４において、代書判断部８は、付帯情報を代書情報で出力すると判定した場合、付帯情報を情報復元部９に出力し、ステップＳ２５に進む。
【００９９】
ステップＳ２５において、情報復元部９は、代書判断部８から出力された付帯情報のうちのオリジナル付帯情報を削除して、代書判断部８に戻す。
【０１００】
詳細には、例えば、図７に示した付帯情報において、異常と判断され退避されていた退避オリジナル情報２を削除し、元の付帯情報２に代書情報が格納された状態で、代書判断部８に戻される。そして、代書判断部８は、情報復元部９から戻された、オリジナル付帯情報が削除された（代書された）付帯情報、および画像データを出力部１０に出力する。
【０１０１】
ステップＳ２４において、代書判断部８は、付帯情報を代書情報で出力しない、すなわち、ユーザによって、図１５に示す画面ＷのポップアップウィンドウＷａ内の「オリジナル情報で出力」のボタンＢ２が選択された場合、代書判断部８は、付帯情報を情報復元部９に出力し、ステップＳ２６に進む。
【０１０２】
ステップＳ２６において、情報復元部９は、代書判断部８から出力された付帯情報をオリジナル付帯情報に戻し、ステップＳ２７において、オリジナル付帯情報を削除し、代書判断部８に戻す。
【０１０３】
詳細には、例えば、図７に示した付帯情報において、異常と判断され退避されていた退避オリジナル情報２を元の付帯情報２にコピーし（戻し）、退避オリジナル情報２を削除した後、代書判断部８に戻される。そして、代書判断部８は、情報復元部９から戻された、オリジナル付帯情報が復元された付帯情報、および画像データを出力部１０に出力する。
【０１０４】
ステップＳ２８において、出力部１０は、画像データおよび付帯情報を、印刷、記録メディアへの保存、または通信部を介して他の装置へ送信する。
【０１０５】
以上のように、ユーザは、印刷、記録メディアへの保存、または他の装置への送信のために選択した画像が代書されていた場合、代書された付帯情報をそのまま出力するのか、または、オリジナルの付帯情報に復元して出力するのかを選択することができる。
【０１０６】
本実施の形態によれば、画像の付帯情報に異常があった場合にも、その付帯情報を代書してデータベースに確実に登録することができる。また、代書された付帯情報を表示する場合には、代書表現を用いて表示することができ、さらに、他の装置に出力する場合には、代書されたままの付帯情報を出力するのか、元の付帯情報に復元して出力するのかを選択することが可能となる。
【０１０７】
この発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【符号の説明】
【０１０８】
１  画像取り込み部
２  医用画像データベース
２ａ  情報入れ替え処理部
２ｂ  画像登録処理部
２ｃ  画像群記憶部
２ｄ  リスト登録処理部
２ｅ  リスト記憶部
８  代書判断部
９  情報復元部
【図１】
2011186511.tif 000003
【図２】
2011186511.tif 000004
【図３】
2011186511.tif 000005
【図４】
2011186511.tif 000006
【図５】
2011186511.tif 000007
【図６】
2011186511.tif 000008
【図７】
2011186511.tif 000009
【図８】
2011186511.tif 000010
【図９】
2011186511.tif 000011
【図１０】
2011186511.tif 000012
【図１１】
2011186511.tif 000013
【図１２】
2011186511.tif 000014
【図１３】
2011186511.tif 000015
【図１４】
2011186511.tif 000016
【図１５】
2011186511.tif 000017
【図１６】
2011186511.tif 000018